(57)【特許請求の範囲】
【請求項１】
少なくとも顔料、顔料分散剤、溶剤を含む油性インクジェットインクにおいて、前記溶剤に、 
炭化水素系溶剤（Ａ）と、
１分子内に少なくともエステル基を２個以上とエーテル基を２個以上有する溶剤（Ｂ）と、
炭化水素系溶剤および１分子内に少なくともエステル基とエーテル基とを有する溶剤に溶解する溶剤（Ｃ）とを含み、
前記溶剤（Ｃ）が、高級脂肪酸エステル、高級アルコールからなる群より選ばれる少なくとも１種であることを特徴とする油性インクジェットインク。
【請求項２】
前記溶剤（Ｂ）が二塩基酸と（ポリ）アルキレングリコールモノアルキルエーテルとから生成するジエステルであることを特徴とする請求項１記載の油性インクジェットインク。
【請求項３】
二塩基酸と（ポリ）アルキレングリコールモノアルキルエーテルとから生成する前記ジエステルがシクロヘキサンジカルボン酸ビスエトキシジグリコール、コハク酸ビスエトキシジグリコール、およびコハク酸ジエトキシエチルからなる群より選ばれる少なくとも１種であることを特徴とする請求項２記載の油性インクジェットインク。
【請求項４】
前記溶剤（Ｂ）が、トリエチレングリコールジアセテートおよび／またはジカプリル酸イソソルバイドであることを特徴とする請求項１記載の油性インクジェットインク。
【発明の詳細な説明】
【技術分野】
【０００１】
本発明は、インクジェット記録システムの使用に適した油性インクジェットインクに関するものである。
【背景技術】
【０００２】
インクジェット記録方式は、流動性の高いインクジェットインクを微細なヘッドノズルからインク粒子として噴射し、上記ノズルに対向して置かれた印刷紙に画像を記録するものであり、とりわけ、多数のインクヘッドを備えるラインヘッド方式のインクジェット記録装置を用いると高速印字が可能であることから、近年急速に普及している。このようなインクジェット記録方式に用いられるインクとして、非水溶性溶剤に顔料を微分散させたいわゆる油性インクジェットインクが種々提案されている。
【０００３】
例えば、出願人は特許文献１において、顔料をエステル溶剤、高級アルコール溶剤、炭化水素溶剤等の非極性溶剤に分散させたインクを提案している。このインクは機上安定性に優れるとともに、ＰＰＣ複写機やレーザープリンターで印刷された印刷面と重ね合わせた場合でも貼り付かない印字面を得ることができるという利点を有するものである。
【０００４】
ところで、油性インクジェットインクは、インク自体が乾燥固化するものではなく、紙などの印刷物に浸透して乾燥する浸透乾燥方式のインクである。このため、高速印字した場合には、印刷から出力までの時間もその分短くなるために、紙面に印字された未乾燥のインクが搬送ローラーに転写されてしまい、ローラーから次に搬送されてきた印刷物へ転写されて印刷物を汚す、いわゆるローラー転写汚れという問題が起こる。
【０００５】
油性インクジェットインクの定着性を改善する方法として、特許文献２には、溶剤のエステル基、エーテル基数およびアルキル基の炭素数を調整することにより可能であることが記載されている。そして、特許文献３には印刷物上での浸透性にすぐれ、印刷直後のインクの定着性が良好な油性インクジェットインクとして、炭化水素系溶媒を主溶媒とし、（ポリ）アルキレングリコールのエステル誘導体を含むインクが提案されている。また、特許文献４には、溶剤として脂肪酸エステルと非水性極性溶剤とを含む油性インクジェットインクが、印刷品質に優れたインクとして提案されている。
【先行技術文献】
【特許文献】
【０００６】
【特許文献１】特開２００７−１２６５６４号公報
【特許文献２】特開２００３−２６８２６６号公報
【特許文献３】特開２００４−１３７３１５号公報
【特許文献４】特開２００７−１６１８９０号公報
【発明の概要】
【発明が解決しようとする課題】
【０００７】
上記特許文献３に記載されているインクは、インクの浸透乾燥性に改善は認められるものの、溶剤間の溶解性が悪いために貯蔵安定性、吐出安定性は悪化する。一方、特許文献４に記載されているインクは、普通紙や再生紙に印刷した場合には浸透乾燥性が劣るという問題がある。油性インクジェットインクの浸透乾燥性はインク粘度に大きく依存するが、インクジェット記録方式のインクヘッドはインク粘度の制約が大きいために、インクを吐出させることが可能な粘度範囲でしか粘度の調整ができず、これを無視すると、吐出安定性や貯蔵安定性が悪化してしまう。従って、特許文献２に記載されているように簡単に浸透乾燥性の改善、向上を図ることは困難である。
【０００８】
上記のとおりインクの浸透乾燥性は粘度に大きく依存する一方で、吐出安定性や貯蔵安定性にも影響を与える。このため、粘度以外の構成要素により浸透乾燥性を制御できないかを鋭意検討したところ、極性が異なる溶剤をインク中に含有させることにより、浸透乾燥性が向上し、ローラー転写汚れを抑制できることを見出し本発明に至った。すなわち、本発明は、浸透乾燥性に優れ、印刷物のローラー転写汚れを抑制することが可能であって、吐出安定性および貯蔵安定性にも優れた油性インクジェットインクを提供することを目的とするものである。
【課題を解決するための手段】
【０００９】
本発明の油性インクジェットインクは、少なくとも顔料、顔料分散剤、溶剤を含む油性インクジェットインクにおいて、前記溶剤に、炭化水素系溶剤（Ａ）、１分子内に少なくともエステル基とエーテル基とを有する溶剤（Ｂ）、炭化水素系溶剤および１分子内に少なくともエステル基とエーテル基とを有する溶剤に溶解する溶剤（Ｃ）とを含むことを特徴とするものである。
前記溶剤（Ｂ）は、１分子内に少なくともエステル基を２個以上、エーテル基を２個以上有することが好ましい。
【００１０】
前記溶剤（Ｂ）は二塩基酸と（ポリ）アルキレングリコールモノアルキルエーテルとから生成するジエステルであることがより好ましい。
二塩基酸と（ポリ）アルキレングリコールモノアルキルエーテルとから生成する前記ジエステルは、シクロヘキサンジカルボン酸ビスエトキシジグリコール、コハク酸ビスエトキシジグリコール、およびコハク酸ジエトキシエチルからなる群より選ばれる少なくとも１種であることが好ましい。
【００１１】
前記溶剤（Ｂ）は、トリエチレングリコールジアセテートおよび／またはジカプリル酸イソソルバイドであることが好ましい。
前記溶剤（Ｃ）は、高級脂肪酸エステル、高級アルコールからなる群より選ばれる少なくとも１種であることが好ましい。
【発明の効果】
【００１２】
本発明の油性インクジェットインクの含まれる炭化水素系溶剤（Ａ）は極性が低い溶剤であり、一方で１分子内に少なくともエステル基とエーテル基とを有する溶剤（Ｂ）は極性が高い溶剤である。この極性が低い溶剤（Ａ）と極性が高い溶剤（Ｂ）を共にインク中に含有させることにより、溶剤間の親和性が悪くなり、インク成分から溶剤の離脱性が速まるために、印刷物への浸透速度が速くなったと考えられる。
【００１３】
詳細には、溶剤（Ｂ）は極性が高いため、インク受理層を有するようなマット紙、コート紙および普通紙の中でも填料を多く含むもの等のように極性の高い用紙に対して濡れ性が良く、これらの用紙へのインクの浸透が速くなったと考えられる。一方で、再生紙や一般的に用いられる普通紙のように比較的極性の低い用紙に対しては、溶剤（Ｂ）と溶解しにくい溶剤（Ａ）によって、用紙へインクが浸透する際、溶剤の離脱を速め浸透速度が速くなったと考える。すなわち、溶剤（Ａ）および溶剤（Ｂ）を含有させることにより、インク粘度を変えなくても、様々な用紙に対してインクの浸透性を高めることができ、印刷物のローラー転写汚れを抑制することが可能である。そして、インクヘッドはインク粘度の制約を受けずに、安定的に吐出が可能である。
【００１４】
一方で、炭化水素系溶剤（Ａ）と、１分子内に少なくともエステル基とエーテル基とを有する溶剤（Ｂ）とは相溶性が悪いが、炭化水素系溶剤および１分子内に少なくともエステル基とエーテル基とを有する溶剤に溶解する溶剤（Ｃ）を含有させることによって、インク中の溶剤は相溶性が保持されて均一となり、インクの貯蔵安定性をも高めることができる。
【発明を実施するための形態】
【００１５】
本発明の油性インクジェットインク（以下、単にインクともいう）は、少なくとも顔料、顔料分散剤、溶剤を含む油性インクジェットインクにおいて、溶剤に、炭化水素系溶剤（Ａ）、１分子内に少なくともエステル基とエーテル基とを有する溶剤（Ｂ）、炭化水素系溶剤および１分子内に少なくともエステル基とエーテル基とを有する溶剤に溶解する溶剤（Ｃ）とを含むことを特徴とする。
【００１６】
溶剤（Ａ）、溶剤（Ｂ）、溶剤（Ｃ）の溶剤構成比率は、インクの貯蔵安定性や、様々な種類の用紙への浸透性等を考慮すると、全溶剤に対して、溶剤（Ａ）が２０〜５０質量％、溶剤（Ｂ）が１〜４０質量％、溶剤（Ｃ）が２０〜７０質量％であることが好ましい。より好ましくは、溶剤（Ａ）が２５〜５０質量％、溶剤（Ｂ）が５〜３５質量％、溶剤（Ｃ）が２５〜７０質量％であることが望ましい。
【００１７】
溶剤（Ａ）は炭化水素系溶剤であり、脂肪族炭化水素溶剤、脂環式炭化水素系溶剤、芳香族炭化水素溶剤等を好ましく挙げることができる。脂肪族炭化水素溶剤、脂環式炭化水素系溶剤としては、たとえば、日本石油（株）製「テクリーンＮ−１６、テクリーンＮ−２０、テクリーンＮ−２２、日石ナフテゾールＬ、日石ナフテゾールＭ、日石ナフテゾールＨ、０号ソルベントＬ、０号ソルベントＭ、０号ソルベントＨ、日石アイソゾール３００、日石アイソゾール４００、ＡＦ−４、ＡＦ−５、ＡＦ−６、ＡＦ−７」、Ｅｘｘｏｎ社製「Ｉｓｏｐａｒ（アイソパー）Ｇ、Ｉｓｏｐａｒ Ｈ、Ｉｓｏｐａｒ Ｌ、Ｉｓｏｐａｒ Ｍ、Ｅｘｘｓｏｌ Ｄ４０、Ｅｘｘｓｏｌ Ｄ８０、Ｅｘｘｓｏｌ Ｄ１００、Ｅｘｘｓｏｌ Ｄ１３０、Ｅｘｘｓｏｌ Ｄ１４０」等を好ましく挙げることができる。芳香族炭化水素溶剤としては、日本石油（株）製「日石クリーンソルＧ」（アルキルベンゼン）、Ｅｘｘｏｎ社製「ソルベッソ２００」等を好ましく挙げることができる。
【００１８】
溶剤（Ｂ）は１分子内に少なくともエステル基とエーテル基とを有する溶剤であり、１分子内に少なくともエステル基を２個以上、エーテル基を２個以上有することが好ましい。エステル基およびエーテル基を共に２個以上有することにより、極性がさらに高くなるため、インク成分からの溶剤離脱性がより速まって、浸透速度をさらに向上させることができる。１分子内のエステル基は２個以上１０個以下であることが好ましく、２個以上５個以下であることがより好ましい。１分子内のエーテル基は２個以上３０個以下であることが好ましく、４個以上１０個以下であることがより好ましい。
【００１９】
さらに浸透速度を向上させることができ、溶剤の臭気が少ないという観点からすれば、溶剤（Ｂ）は二塩基酸と（ポリ）アルキレングリコールモノアルキルエーテルとから生成するジエステルであることが好ましい。二塩基酸としては、
ＨＯ−ＣＯ−Ｒ−ＣＯ−ＯＨ
（Ｒは炭素数２〜１０の直鎖、分岐鎖若しくは環状の炭化水素基を表す。）
具体的には、シクロヘキサンジカルボン酸、コハク酸、アジピン酸、ピメリン酸、スベリン酸、セバシン酸、ドデカン二酸等を好ましく挙げることができる。
【００２０】
（ポリ）アルキレングリコールモノアルキルエーテルとしては、エチレングリコールモノエチルエーテル、エチレングリコールモノプロピルエーテル、エチレングリコールモノイソプロピルエーテル、ジエチレングリコールモノエチルエーテル、トリエチレングリコールモノエチルエーテル、ジエチレングリコールモノプロピルエーテル、トリエチレングリコールモノプロピルエーテル、ジエチレングリコールモノイソプロピルエーテル、トリエチレングリコールモノイソプロピルエーテル、ジエチレングリコールモノイソブチルエーテル、トリエチレングリコールモノイソブチルエーテル、プロピレングリコールモノメチルエーテル、プロピレングリコールモノエチルエーテル、プロピレングリコールモノプロピルエーテル、プロピレングリコールモノイソプロピルエーテル、プロピレングリコールモノブチルエーテル、プロピレングリコールモノイソブチルエーテル、ジプロピレングリコールモノメチルエーテル、ジプロピレングリコールモノエチルエーテル、ジプロピレングリコールモノプロピルエーテル、ジプロピレングリコールモノイソプロピルエーテル、ジプロピレングリコールモノブチルエーテル、ジプロピレングリコールモノイソブチルエーテル、トリプロピレングリコールモノメチルエーテル、トリプロピレングリコールモノエチルエーテル、トリプロピレングリコールモノプロピルエーテル、トリプロピレングリコールモノイソプロピルエーテル、トリプロピレングリコールモノブチルエーテル、トリプロピレングリコールモノイソブチルエーテル、テトラプロピレングリコールモノメチルエーテル、テトラプロピレングリコールモノエチルエーテル、テトラプロピレングリコールモノプロピルエーテル、テトラプロピレングリコールモノイソプロピルエーテル、テトラプロピレングリコールモノブチルエーテル、テトラプロピレングリコールモノイソブチルエーテル、ブチレングリコールモノメチルエーテル、ブチレングリコールモノエチルエーテル、ブチレンングリコールモノプロピルエーテル、ブチレングリコールモノイソプロピルエーテル、ブチレンングリコールモノブチルエーテル、ブチレングリコールモノイソブチルエーテル、ジブチレングリコールモノメチルエーテル、ジブチレングリコールモノエチルエーテル、ジブチレンングリコールモノプロピルエーテル、ジブチレングリコールモノイソプロピルエーテル、ジブチレンングリコールモノブチルエーテル、ジブチレングリコールモノイソブチルエーテル、トリブチレングリコールモノメチルエーテル、トリブチレングリコールモノエチルエーテル、トリブチレンングリコールモノプロピルエーテル、トリブチレングリコールモノイソプロピルエーテル、トリブチレンングリコールモノブチルエーテル、トリブチレングリコールモノイソブチルエーテル、テトラブチレングリコールモノメチルエーテル、テトラブチレングリコールモノエチルエーテル、テトラブチレンングリコールモノプロピルエーテル、テトラブチレングリコールモノイソプロピルエーテル、テトラブチレンングリコールモノブチルエーテル、およびテトラブチレングリコールモノイソブチルエーテル等を好ましく挙げることができる。
【００２１】
二塩基酸と（ポリ）アルキレングリコールモノアルキルエーテルとから生成するジエステルの中でも、入手のしやすさという観点からはシクロヘキサンジカルボン酸ビスエトキシジグリコール（エステル基２、エーテル基４）、コハク酸ビスエトキシジグリコール（エステル基２、エーテル基４）、およびコハク酸ジエトキシエチル（エステル基２、エーテル基２）からなる群より選ばれる少なくとも１種であることが好ましい。
【００２２】
１分子内に少なくともエステル基とエーテル基とを有する溶剤の他の例としては、エチレングリコールモノブチルエーテルアセテート（エステル基１、エーテル基１）、ジカプリル酸イソソルバイド（エステル基２、エーテル基２）、トリエチレングリコールジアセテートコハク酸（エステル基２、エーテル基２）、ポリプロピレングリコールオリゴエステル（エステル基８、エーテル基３０、分子量２０００〜３０００）（製品名：コスモール１０２（日清オイリオグループ(株)）製））等を好ましく挙げることができる。◎
上記の（Ｂ）溶剤はそれぞれを単独で、あるいは２種類以上を適宜組み合わせて用いてもよい。
【００２３】
溶剤（Ｃ）は炭化水素系溶剤および１分子内に少なくともエステル基とエーテル基とを有する溶剤に溶解する溶剤、すなわち炭化水素系溶剤および１分子内に少なくともエステル基とエーテル基とを有する溶剤と混合した場合に透明でありかつ単一の相を形成する溶剤である。ここでいう「透明である」とは、濁度が１０以下（ＪＩＳ−Ｋ０１０１透視比濁法（カオリン水溶液））であることを意味する。溶剤（Ｃ）としては、高級脂肪酸エステル、高級アルコール、高級脂肪酸、エーテル等を好ましく挙げることができる。
【００２４】
高級脂肪酸エステルとしては１分子中の炭素数が５以上、好ましくは９以上、より好ましくは１２〜３２の高級脂肪酸エステルが好ましく、より詳細には、ラウリル酸メチル、ラウリル酸イソプロピル、ミリスチン酸イソプロピル、パルミチン酸イソプロピル、パルミチン酸オクチル、オレイン酸メチル、オレイン酸エチル、オレイン酸イソプロピル、オレイン酸ブチル、リノール酸メチル、リノール酸エチル、リノール酸イソブチル、イソステアリン酸イソプロピル、イソノナン酸イソノニル、大豆油メチル、大豆油イソブチル、トール油メチル、トール油イソブチル、アジピン酸ジイソプロピル、セバシン酸ジイソプロピル、セバシン酸ジエチル、モノカプリン酸プロピレングリコール、トリ２エチルヘキサン酸トリメチロールプロパン、トリ２エチルヘキサン酸グリセリルなどを好ましく挙げることができる。
【００２５】
高級アルコールとしては、１分子中の炭素数が１２以上の高級アルコールが好ましく、より詳細には、イソミリスチルアルコール、イソパルミチルアルコール、イソステアリルアルコール、オレイルアルコールなどを好ましく挙げることができる。
【００２６】
高級脂肪酸としては、１分子中の炭素数が４以上、好ましくは９〜２２の高級脂肪酸が好ましく、より詳細には、イソノナン酸、イソミリスチン酸、ヘキサデカン酸、イソパルミチン酸、オレイン酸、イソステアリン酸などを好ましく挙げることができる。
【００２７】
エーテルとしては、ジエチレングリコールモノブチルエーテル、エチレングリコールモノブチルエーテル、プロピレングリコールモノブチルエーテル、プロピレングリコールジブチルエーテルなどを好ましく挙げることができる。
【００２８】
本発明で使用される顔料としては、有機顔料、無機顔料を問わず、印刷の技術分野で一般に用いられているものを使用でき、特に限定されない。具体的には、カーボンブラック、カドミウムレッド、クロムイエロー、カドミウムイエロー、酸化クロム、ピリジアン、チタンコバルトグリーン、ウルトラマリンブルー、プルシアンブルー、コバルトブルー、アゾ系顔料、フタロシアニン系顔料、キナクリドン系顔料、イソインドリノン系顔料、ジオキサジン系顔料、スレン系顔料、ペリレン系顔料、チオインジゴ系顔料、キノフタロン系顔料、金属錯体顔料などが好適に使用できる。これらの顔料は単独で用いてもよいし、適宜組み合わせて使用してもよい。顔料は、インク全量に対して０．０１〜２０質量％の範囲で含有されることが好ましい。
【００２９】
本発明で使用される分散剤としては、顔料を溶剤中に安定して分散させるものであれば特に限定されないが、例えば、水酸基含有カルボン酸エステル、長鎖ポリアミノアマイドと高分子量酸エステルの塩、高分子量ポリカルボン酸の塩、長鎖ポリアミノアマイドと極性酸エステルの塩、高分子量不飽和酸エステル、高分子共重合物、変性ポリウレタン、変性ポリアクリレート、ポリエーテルエステル型アニオン系活性剤、ナフタレンスルホン酸ホルマリン縮合物塩、ポリオキシエチレンアルキルリン酸エステル、ポリオキシエチレンノニルフェニルエーテル、ポリエステルポリアミン、ステアリルアミンアセテート等が好適に使用され、そのうち、高分子分散剤を使用するのが好ましい。
【００３０】
分散剤の具体例としては、日本ルーブリゾール社製「ソルスパース５０００（フタロシアニンアンモニウム塩系）、１３９４０（ポリエステルアミン系）、１７０００、１８０００（脂肪酸アミン系）、１１２００、２２０００、２４０００、２８０００」（いずれも商品名）、Ｅｆｋａ ＣＨＥＭＩＣＡＬＳ社製「エフカ４００、４０１、４０２、４０３、４５０、４５１、４５３（変性ポリアクリレート）、４６、４７、４８、４９、４０１０、４０５５（変性ポリウレタン）」（いずれも商品名）、花王社製「デモールＰ、ＥＰ、ポイズ５２０、５２１、５３０、ホモゲノールＬ−１８（ポリカルボン酸型高分子界面活性剤）」（いずれも商品名）、楠本化成社製「ディスパロンＫＳ−８６０、ＫＳ−８７３Ｎ４（高分子ポリエステルのアミン塩）」（いずれも商品名）、第一工業製薬社製「ディスコール２０２、２０６、ＯＡ−２０２、ＯＡ−６００（多鎖型高分子非イオン系）」（いずれも商品名）等が挙げられる。上記分散剤の含有量は、上記顔料を十分にインク中に分散可能な量であれば足り、適宜設定できる。
【００３１】
本発明のインクには、インクの浸透乾燥性、吐出安定性および貯蔵安定性に影響を与えない限り、上記の溶剤、分散剤及び顔料に加えて、例えば、染料、界面活性剤、防腐剤等を添加することができる。
【００３２】
本発明のインクは、例えばビーズミル等の公知の分散機に全成分を一括又は分割して投入して分散させ、所望により、メンブレンフィルター等の公知のろ過機を通すことにより調製できる。具体的には、予め溶剤の一部と顔料及び分散剤の全量を均一に混合させた混合液を調製して分散機にて分散させた後、この分散液に残りの成分を添加してろ過機を通すことにより調製することができる。
以下に本発明の油性インクジェットインクの実施例を示す。
【実施例】
【００３３】
（インキの調製）
下記表１に示す配合（表１に示す数値は質量部である）で原材料をプレミックスした後、ロッキングミル６５Ｈｚにて約２時間分散させて実施例１〜１０、比較例１〜６のインクを調製した。
【００３４】
（評価）
（インクの貯蔵安定性）
各インクを密閉容器に入れて、７０℃環境下で４週間放置し、その後インクの粘度および、下記式より粘度変化率を算出し、以下の基準で評価した。
［（４週間後の粘度／粒度値×１００）／（粘度／粒度初期値）］−１００（％）
◎：粘度および粒度変化率がどちらもが５％未満
○：粘度および粒度のどちらか一方でも変化率が５％以上１０％未満
×：粘度および粒度のどちらか一方でも変化率が１０％以上
【００３５】
（転写汚れ評価）
各インクをＯＲＰＨＩＳ−Ｘ９０５０（理想科学工業（株）社製）に装填して３００ｄｐｉ相当のベタ画像を、普通紙（Ａｓｋｕｌ  Ｍｕｌｔｉｐａｐｅｒスーパーセレクトスムース（アスクル（株）製））、再生紙（リサイクルＰＰＣ（大王製紙（株）製））、マット紙（理想用紙ＩＪマット（Ｗ）（理想科学工業（株）製））のそれぞれに両面印刷した。転写汚れの度合いを目視で確認し、以下の基準で評価した。
◎：転写汚れが全くない
○：転写汚れが殆どない
△：若干の転写汚れがある
×：転写汚れが目立つ
【００３６】
（吐出安定性）
各インクをＯＲＰＨＩＳ−Ｘ９０５０に装填して印刷動作を行った後、３０分間印刷機を停止した状態で放置し、その後印刷操作を再開した時の吐出性を以下の基準で評価した。
◎：全く不吐出が発生しない
○：時々不吐出が発生するが、吸引クリーニング動作により回復する
×：不吐出ノズルが頻発する
実施例および比較例のインクの処方とともに、上記の評価項目により評価した結果を表１に示す。
【００３７】
【表１】
0005662715.tif 000002
【００３８】
表１から明らかなように、溶剤（Ａ）、（Ｂ）、（Ｃ）の全てを含む実施例１〜１０は、貯蔵安定性、吐出安定性に優れ、転写汚れが少なかった。さらに、溶剤（Ｂ）がエステル基２個、エーテル基２個以上含む実施例１〜９においては、転写汚れがより低減し、吐出安定性が向上した。さらに、溶剤（Ｂ）が二塩基酸と（ポリ）アルキレングリコールモノアルキルエーテルとから生成するジエステル、トリエチレングリコールジアセテート、アルキレングリコールから生成するエステル、およびジカプリル酸イソソルバイトの場合、転写汚れがさらに向上した。
【００３９】
比較例１は溶剤（Ｃ）を含まない処方（先行技術文献の特許文献３に記載されている炭化水素系溶媒と（ポリ）アルキレングリコールのエステル誘導体とを含むインク）であるが、この場合には本件発明に比べて転写汚れが発生し、また貯蔵安定性および吐出安定性は使用に耐えるレベルになかった。また、比較例２は溶剤（Ａ）を含まない処方（特許文献４に記載されている脂肪酸エステルと非水性極性溶剤とを含むインク）であるが、この場合には貯蔵安定性および吐出安定性は良好であるものの、普通紙や再生紙に対する転写汚れが顕著に発生した。比較例３〜６は溶剤（Ｂ）を含まない処方であるが、この場合にも貯蔵安定性および吐出安定性は良好であるものの、印刷媒体によっては顕著な転写汚れが発生した。
【００４０】
以上の実施例、比較例から明らかなように、溶剤（Ａ）、溶剤（Ｂ）、炭化水素系溶剤および１分子内に少なくともエステル基とエーテル基とを有する溶剤に溶解する溶剤（Ｃ）を含有させることによって、様々な用紙に対してインクの浸透性を高めることができ、印刷物のローラー転写汚れを抑制することが可能であるとともに、吐出安定性および貯蔵安定性にも優れたインクとすることができる。